(57)【特許請求の範囲】
【請求項１】
光源からの光が側端面から入射する導光板の裏面側に壁面を鏡面で仕上げたＶ字形溝を設けて、Ｖ字形溝の鏡面である上記壁面での反射光を表面側に出射させるエッジライトパネルにおいて、光源からの距離が遠くなるほど間隔が密になるように設けられている上記Ｖ字形溝は、その光源側の壁面の立ち上がり角度φが導光板の裏面で全反射した後に該壁面で全反射する光が表面側にほぼ垂直に出射する角度となっているとともに、隣接する２つのＶ字形溝のうち、光源寄りのＶ字形溝の深さをｈ1、他方のＶ字形溝の深さをｈ2、両Ｖ字形溝の間隔をＬとする時、
Ｌ≧ｈ1tan（１８０°−２φ）＋ｈ2tan（１８０°−２φ）
としていることを特徴とするエッジライトパネル。
【請求項２】
光源からの光が側端面から入射する導光板の裏面側に壁面を鏡面で仕上げたＶ字形溝を設けて、Ｖ字形溝の鏡面である上記壁面での反射光を表面側に出射させるエッジライトパネルにおいて、光源からの距離が遠くなるほど間隔が密になるように設けられている上記Ｖ字形溝は、その光源側の壁面の立ち上がり角度φが導光板の裏面で全反射した後に該壁面で全反射する光が表面側にほぼ垂直に出射する角度となっているとともに、隣接する２つのＶ字形溝のうち、光源寄りのＶ字形溝の深さをｈ1、他方のＶ字形溝の深さをｈ2、両Ｖ字形溝の間隔をＬ、広げたい視野角をγとする時、
Ｌ≧ｈ1tan（１８０°−２φ＋γ）＋ｈ2tan（１８０°−２φ＋γ）
としていることを特徴とするエッジライトパネル。
【請求項３】
光源が側端面と略平行に配される線状光源であり、Ｖ字形溝が光源と平行な直線状に形成されていることを特徴とする請求項１または２記載のエッジライトパネル。
【請求項４】
光源が点光源であり、Ｖ字形溝が点光源を中心とする円弧状に形成されていることを特徴とする請求項１または２記載のエッジライトパネル。
【請求項５】
Ｖ字形溝の長手方向において複数領域に分割されているとともに隣合う領域において光源から異なる距離のところにＶ字形溝が形成されていることを特徴とする請求項１〜４のいずれか１項に記載のエッジライトパネル。
【請求項６】
角度φが４５°以上６０°以内であることを特徴とする請求項１〜５のいずれか１項に記載のエッジライトパネル。
【請求項７】
導光板は光源側の側端の厚みよりも光源から遠い側の側端の厚みが薄くなるテーパ状となっていることを特徴とする請求項１〜６のいずれか１項に記載のエッジライトパネル。
【請求項８】
Ｖ字形溝はその断面形状が対称であり、且つ両壁面が共に鏡面であることを特徴とする請求項１〜７のいずれか１項に記載のエッジライトパネル。
【請求項９】
導光板の光源から遠い側の側端が光源を中心とする円弧状であることを特徴とする請求項４記載のエッジライトパネル。
【請求項１０】
Ｖ字形溝はその頂部が両側の壁面を滑らかにつなぐ曲面で形成されていることを特徴とする請求項１〜９のいずれか１項に記載のエッジライトパネル。
【請求項１１】
導光板裏面で且つ隣接する２つのＶ字形溝の間の部分のうち、光源寄りの部分に光反射角制御面を設けていることを特徴とする請求項１〜９のいずれか１項に記載のエッジライトパネル。
【請求項１２】
光反射角制御面は、鏡面に仕上げた微細な凹凸であることを特徴とする請求項１１記載のエッジライトパネル。
【請求項１３】
光反射角制御面は、拡散反射させる粗面であることを特徴とする請求項１１記載のエッジライトパネル。
【発明の詳細な説明】
【０００１】
【発明の属する技術分野】
本発明は導光板の側端面から入射させた光を導光板の表面から出射させるエッジライトパネルに関するものである。
【０００２】
【従来の技術】
誘導灯などの各種面光源装置や液晶ディスプレーのバックライトとして用いられるエッジライトパネルは、導光板の側端面から導光板内に入射させた光を導光板の裏面側に設けた拡散反射面で導光板の表面側に向けて導光板表面から出射させるものが一般的であるが、拡散反射を利用することから、表面輝度を高くすることができない。
【０００３】
これに対して特開平１０−６８９４７号公報に示されたエッジライトパネルは、導光板の裏面に壁面を鏡面で仕上げたＶ字形溝を設けて、Ｖ字形溝の鏡面である上記壁面での全反射光を表面側に出射させるために、光の指向性を高くして表面輝度を高くすることができる。この場合、表面輝度を均一にするために、図１３に示すように、導光板１の裏面に形成するＶ字形溝２を導光板１の側端面に対向配置させた光源３から遠くなるほどＶ字形溝２の配置ピッチを小さくしたりＶ字形溝２の深さを大きくする。
【０００４】
【発明が解決しようとする課題】
ところで、上記Ｖ字形溝２の光源側の壁面に至る光には、図１４(b) に示すように、導光板１の端面から入射して表裏面とほぼ平行に進む光と、導光板１の表面側で全反射して壁面に到達する光と、導光板１の裏面側で全反射して壁面に到達する光とが存在するが、この時、表裏面とほぼ平行に進む光がＶ字形溝２の壁面で全反射して導光板１の表面に対して直角に射出するように、Ｖ字形溝２の壁面の立ち上がり角度を図に示すようにほぼ４５°に設定していた。
【０００５】
しかし、Ｖ字形溝２の深さは実際には数μｍ〜数十μｍで導光板１の厚みを考えれば、図１４(a)に示すような状態であり、Ｖ字形溝２の壁面に至る光はその殆どが導光板１の表裏面での全反射を繰り返して到達したものとなっている。そして上記の角度設定では、表面側で全反射してＶ字形溝２の壁面に至った光は、入射角が大きいために全反射せずにＶ字形溝を抜けてしまうことになる。
【０００６】
また、表面側で全反射してＶ字形溝２の壁面に至った光がＶ字形溝２の壁面で全反射するようにＶ字形溝２の壁面の立ち上がり角度を４５°より小さくすると、図１４(c)に示すように、その出射配光分布は非光源側へ傾いた分布となってしまい、前方への指向性を高めることができない。
【０００７】
本発明はこのような点に鑑みなされたものであって、その目的とするところは輝度が高く且つ出射配光分布も均一で輝度ムラが生じることがないエッジライトパネルを提供するにある。
【０００８】
【課題を解決するための手段】
しかして本発明は、光源からの光が側端面から入射する導光板の裏面側に壁面を鏡面で仕上げたＶ字形溝を設けて、Ｖ字形溝の鏡面である上記壁面での反射光を表面側に出射させるエッジライトパネルにおいて、光源からの距離が遠くなるほど間隔が密になるように設けられている上記Ｖ字形溝は、その光源側の壁面の立ち上がり角度φが導光板の裏面で全反射した後に該壁面で全反射する光が表面側にほぼ垂直に出射する角度となっているとともに、隣接する２つのＶ字形溝のうち、光源寄りのＶ字形溝の深さをｈ1、他方のＶ字形溝の深さをｈ2、両Ｖ字形溝の間隔をＬとする時、
Ｌ≧ｈ1tan（１８０°−２φ）＋ｈ2tan（１８０°−２φ）
としていることに特徴を有している。
【０００９】
すなわち、図１に示すように、導光板１の裏面側で全反射した後にＶ字形溝２の壁面に到達した光が壁面での全反射によって前方に出射するように、Ｖ字形溝２の壁面の立ち上がり角度φを設定するのである。このように、導光板１の裏面側で全反射した後にＶ字形溝２の壁面に到達する光を主体とする場合、導光板１の表裏面と平行な光を主体とする図１４(b)に示した場合に比して、多くの光を前方に配光することができるとともに、導光板１の表面で全反射してＶ字形溝２の壁面に至った光はＶ字形溝２を突き抜けて導光板１に再入射し、他のＶ字形溝２の壁面での全反射により前方へ出て行くことになるために、出射配光分布も前方を向いたものを得ることができる。
【００１０】
ここで、導光板１内の輝度均一性を考えた場合、Ｖ字形溝２は導光板１の表面から見た場合、輝線となって見えるために、Ｖ字形溝２を深くしすぎることは好ましくない場合が多く、好適な深さは１００μｍ以下、さらに好ましくは２０μｍ以下である。
【００１１】
また、導光板１の裏面で全反射した後、Ｖ字形溝２の壁面で全反射した光を表面側に出射させるように導光板１の裏面からのＶ字形溝２の壁面の立ち上がり角度φを設定したものにおいて、輝度の均一性の確保の点からＶ字形溝２の配置ピッチを小さくしたりＶ字形溝２の深さを大きくしていくと、図１５に示すように、光源３寄りのＶ字形溝２が邪魔して裏面で全反射した光がＶ字形溝２の壁面に当たるという前提が崩れてしまい、この結果、導光板１表面での配光が図１３に示すように場所によって異なることになる。これは見る方向によって輝度ムラが生じることになる。この点は、Ｖ字形溝の壁面の立ち上がり角度をφ、隣接する２つのＶ字形溝のうち、光源寄りのＶ字形溝の深さをｈ1、他方のＶ字形溝の深さをｈ2、両Ｖ字形溝の間隔をＬとする時、
Ｌ≧ｈ1tan（１８０°−２φ）＋ｈ2tan（１８０°−２φ）
として、導光板の裏面で反射した光がＶ字形溝の壁面で反射して表面側に出射することができるピッチで配置しているために解決することができる。
【００１２】
また、広げたい視野角をγとする時、
Ｌ≧ｈ1tan（１８０°−２φ＋γ）＋ｈ2tan（１８０°−２φ＋γ）
としてもよい。広い視野角を確保することができる。
【００１３】
光源が側端面と略平行に配される線状光源である場合、Ｖ字形溝は光源と平行な直線状に形成されていることが好ましく、光源が点光源である場合、Ｖ字形溝は点光源を中心とする円弧状に形成されていることが好ましい。
【００１４】
また、Ｖ字形溝の長手方向において複数領域に分割して隣合う領域において光源から異なる距離のところにＶ字形溝を形成するようにしてもよい。
【００１５】
角度φは４５°以上６０°以内であることが望ましい。
【００１６】
光源側の側端の厚みよりも光源から遠い側の側端の厚みが薄くなるテーパ状に導光板をしておくのも好ましい。
【００１７】
Ｖ字形溝はその断面形状を対称に、且つ両壁面を共に鏡面としておくとよい。
【００１８】
また、光源が点光源である場合は、導光板の光源から遠い側の側端を光源を中心とする円弧状にしておくとよい。
【００１９】
Ｖ字形溝の頂部は両側の壁面を滑らかにつなぐ曲面で形成しておくことも好ましい。
【００２０】
導光板裏面で且つ隣接する２つのＶ字形溝の間の部分のうち、光源寄りの部分に光反射角制御面を設けておくのも好ましく、この場合の光反射角制御面は、鏡面に仕上げた微細な凹凸や、拡散反射させる粗面を用いることができる。
【００２１】
【発明の実施の形態】
以下本発明を実施の形態の一例に基づいて詳述すると、基本的構成は図１３に示した前記従来例と同じであり、光源３からの光を側端面から入射させる導光板１の裏面側に多数のＶ字形溝２を形成するとともに、各Ｖ字形溝２の壁面を鏡面反射面としている。なお、光源３からの光をすべて導光板１に向けるための反射板や、導光板１の他の側端面から外部に光が漏れ出てしまうことを防ぐための反射板等については図示していない。導光板１としては、アクリル樹脂（ＰＭＭＡ、全反射角は±４２°）を好適に用いることができる。
【００２２】
そして、導光板１の裏面にＶ字形溝２を設けるにあたり、光源３寄りではＶ字形溝２を粗に配置し、光源３から離れたところではＶ字形溝２を密に配置している。そして、導光板１を正面から見た時に最も高い表面輝度が得られるようにするために、導光板１の裏面で反射してＶ字形溝２の壁面に向かう図１に示す光線を代表として、これらの光線の傾き±何度かの幅を持った光線群が導光板１の前面から垂直に出射するようにＶ字形溝２の壁面の角度φを設定しているが、このうち、導光板１の裏面側で全反射した後にＶ字形溝２の壁面に到達する光が主体となるように上記角度φを定めている。
【００２３】
また、Ｖ字形溝２の壁面全体を使えるのは図２に示すように光源３寄りの他のＶ字形溝２に当たらずに進行してきて導光板１の裏面で全反射した後、Ｖ字形溝２の頂点部分に当たる場合となる。つまり、隣接する２つのＶ字形溝２，２の深さｈ1，ｈ2及び間隔Ｌが図２に示す状態である場合であり、これより間隔Ｌが狭かったり、他のＶ字形溝２の深さ（高さ）ｈ1が大きいと、光源寄りのＶ字形溝２に干渉して屈折するために、Ｖ字形溝２の頂点付近にあたって前方へ出射する光線が減少したり、なくなることになる。
【００２４】
このために、ここでは隣接する２つのＶ字形溝２，２の間隔をＬ、Ｖ字形溝２の壁面の立ち上がり角度をφ、光源寄りのＶ字形溝２の深さをｈ1、他方のＶ字形溝２の深さをｈ2とする時、
Ｌ≧ｈ1tan（１８０°−２φ）＋ｈ2tan（１８０°−２φ）
に設定している。
【００２５】
すなわち、図３に示すように、光源寄りのＶ字形溝２の頂点Ａ付近を通過して導光板１の裏面で反射した後、Ｖ字形溝２の頂点Ｏに当たる光線を考えた時、この光線が導光板１の裏面での反射位置をＢとすると、図２において、
∠ＢＯＤ＝∠ＣＯＤ＝α＝φ（∵ ∠ＦＯＧ＝９０°−φ＝∠ＣＯＥ＝９０°−α）
∠ＢＯＦ＝∠ＣＯＥ＝９０°−φ
よって△ＢＯＧにおいて、
tan∠ＢＯＧ＝tan（∠ＦＯＧ＋∠ＢＯＦ）
＝tan（９０°−φ＋９０°−φ）
ｙ／ｈ2＝tan（１８０°−２φ）
∴ｙ＝ｈ2tan（１８０°−２φ）
同様に
ｘ＝ｈ1tan（１８０°−２φ）
よって
Ｌ＝ｘ＋ｙ＝ｈ1tan（１８０°−２φ）＋ｈ2tan（１８０°−２φ）
上記間隔Ｌ以上の間隔でＶ字形溝２が並んでおれば、Ｖ字形溝２の壁面全面に当たる光が存在するために、導光板１の出射面（前面）内のどの位置においても出射配光は同一に保たれるものであり、指向性を一定に保つことができる。
【００２６】
また、指向性があまり強すぎては視野角がかなり狭くなることから、ピーク輝度が少々下がっても視野角をγだけ広げたければ、図４に示すように、Ｖ字形溝２の壁面への入射角度がγだけ小さいものを想定し、この光線が光源３寄りのＶ字形溝２に遮られないようにしておけばよいものであり、この場合、
Ｌ≧ｈ1tan（１８０°−２φ＋γ）＋ｈ2tan（１８０°−２φ＋γ）
という条件を満たす間隔ＬでＶ字形溝２を配置すればよい。
【００２７】
なお、導光板１の裏面からのＶ字形溝２の壁面の立ち上がり角度φは、屈折率１．４９であるＰＭＭＡで導光板１を形成している場合、４５°以上６０°以内であることが望ましい。図２において、前述の前提を満たすには
∠ＢＯＤ＝∠ＣＯＤ＝α
∠ＡＢＩ＝∠ＯＢＩ＝β
α＞４２°、β＞４２°
であり、
α＝φ、β＝∠ＢＯＧ＝１８０°−２φ
であることから、
φ＞４２°，１８０°−２φ＞４２°
となり、よって４２°＜φ＜６９°とすることが必要である。
ただし、製造上の公差などを考慮してマージンを持たせれば、
４５°≦φ≦６０°
としておくのが好ましい。
【００２８】
また、立ち上がり角度φを変化させた時の出射光線の分布は、Ｖ字形溝２の壁面に入射する光が持っている角度に対する分布と、全反射を起こす条件によって決まるが、シミュレーションや実験結果から出射光が前方に向く角度を求めた結果からすれば、φ＝５０〜５５°の場合がさらに望ましい。このような角度にすることで、出射される光の配光を非常に指向性の高い分布として実現することができる。下記に示す表１〜表４は夫々立ち上がり角度φを４５°，５０°，５５°，６０°とした場合のシミュレーション結果を示している。表中のω，θは図１(b)に示す角度ω，θに対応しており、表中の数値の単位はすべてdegreeである。
【００２９】
【表１】
0004165111.tif 000002
【００３０】
【表２】
0004165111.tif 000003
【００３１】
【表３】
0004165111.tif 000004
【００３２】
【表４】
0004165111.tif 000005
【００３３】
なお、このような立ち上がり角度φに設定した場合、導光板１の表面側で全反射してＶ字形溝２の壁面に到達した光は殆どがＶ字形溝２を抜けてゆくが、大部分の光はＶ字形溝２の反対側の面から再入射して導光板１内を全反射して導光する成分となるために、他のＶ字形溝２の壁面における全反射で前方へ出射する光として有効に使われる。
【００３４】
ところで、光源３には通常、冷陰極管の蛍光灯のような線状光源を用いて、この線状の光源３を図５に示すように、導光板１の入射面となる側端面と略平行に配置するが、導光版１内を導光してくる光の等強度線を考えた場合、Ｖ字形溝２は光源３と平行な直線状としておくことで、導光板１のどの位置においても同じ配光分布を持った光を取り出すことができる。
【００３５】
光源３が点光源である場合には、図６に示すように、光源３を中心とする円弧状にＶ字形溝３を形成すればよい。
【００３６】
また、導光板１を正面から見た時、Ｖ字形溝２のところが光って見えるわけであり、このためにＶ字形溝２の間隔が大きいところ（光源３に近いところ）では光るところと光らないところの筋が目立つことになる。この点に関しては、図７(a)または図７(b)に示すように、Ｖ字形溝２の長手方向において複数領域１ａ，１ｂ，１ｃ，１ｄに分割して隣合う領域においてＶ字形溝２の配置パターンをずらして光源３から異なる距離のところにＶ字形溝２を形成することで、輝度ムラである筋を目立たなくすることができる。
【００３７】
また、Ｖ字形溝２について、図では誇張しているが、実際に導光板１の裏面に施すＶ字形溝２の深さは前述のように数μｍから数十μｍのレベルで、導光板１の板厚（１ｍｍから数ｍｍ程度）と比較すると非常に微細な溝であり、このために導光板１の端面から入射するとともに導光板１の表裏面で全反射を繰り返しても、Ｖ字形溝２に全くあたることなく導光板１の他方の側端面に至る光が存在しており、このような光は他方の側端面を通過してロスとなり、光の利用効率を落とすことになる。
【００３８】
この点に関しては、Ｖ字形溝２の本数を増やすことで対処することができるが、この場合はＶ字形溝２の間隔Ｌが狭くなりすぎてしまうことになるために、間隔Ｌについて前述の設定を保ちつつ、図８に示すように、導光板１を光源３側の側端の厚みよりも光源３から遠い側の側端の厚みが薄くなるテーパ状としておくことで対処するのが好ましい。このようなテーパ状とすることで、Ｖ字形溝２に光が当たる確率を増やすことができるとともに、他方の側端面から抜けてしまう光を少なくすることができる。また、図８に示すように、導光板１全体をテーパ状とするのではなく、途中からテーパ状として板厚が変化しない部分を設けておくことにより、組立の際の位置決めの容易さを確保することができる。
【００３９】
このほか、Ｖ字形溝２はその断面形状を対称にするとともに両壁面を共に鏡面としておくことで、図９に示すように上記他方の側端面から抜けた光を反射板（反射シート）で再度導光板１内に入射させた光を導光板１の前面側に出射させることができる。なお、再入射光の配光分布は光源１から直接入射した光の配光分布と同じとなるために、全体の配光分布に影響を与えることはなく、また再入射光の利用により効率が向上する。
【００４０】
この点からすれば、光源３が点光源である場合、導光板１が矩形状であると、再入射光は図１０(a)に示すように、Ｖ字形溝２に直交せずに横方向にずれてしまうことになるために、図１０(b)に示すように、導光板１の光源から遠い側の側端を光源３を中心とする円弧状にしておくのが好ましい。再入射光がＶ字形溝２と直交する状態で戻るからである。図１０(c)に示すように疑似円弧となるようにしたものであってもよい。
【００４１】
また、導光板１の裏面で且つ隣接する２つのＶ字形溝の間の部分のうち、光源寄りの部分（図３中のＢＫ間の部分）は、指向性を持たせて配光制御するための反射面として機能していない。このために、この部分に光反射角制御面、たとえば図１１(a)に示す鏡面に仕上げた微細な凹凸５や、図１１(b)に示す拡散反射させる粗面６を設けて、この部分に当たる光の有効利用を図るようにしてもよい。なお、凹凸５の高さは基本的に配光制御される光の経路に干渉しない程度のものとしておく。
【００４２】
また、図１２に示すように、Ｖ字形溝２の頂部は両側の壁面を滑らかにつなぐ曲面Ｒとしておくのも好ましい。立ち上がり角度φの壁面に当たる大部分の光は同じ方向に指向性をもって出射されるが、曲面Ｒの部分に当たる光は傾斜角度が徐々に変化しているために反射時の方向も徐々に異なる方向に変化する。一部の光を意図的に散乱させることができるものであり、視野角を広げることができることになる。散乱させる光の割合は曲面Ｒの半径の大きさに影響され、半径を大きくすればそれに応じて壁面に対する曲面Ｒの長さが増えるために散乱光量も増えることになる。従って、曲面Ｒの半径によって散乱量を自由に制御することができる。なお、視野角を広げるとピーク輝度は現象するが、ピークとなる方向は変化しないために、輝度に余裕のある場合に有効な視野拡大手法である。
【００４３】
【発明の効果】
以上のように本発明においては、光源からの光が側端面から入射する導光板の裏面側に壁面を鏡面で仕上げたＶ字形溝を設けて、Ｖ字形溝の鏡面である上記壁面での反射光を表面側に出射させるエッジライトパネルにおいて、光源からの距離が遠くなるほど間隔が密になるように設けられている上記Ｖ字形溝は、その光源側の壁面の立ち上がり角度φを、裏面で全反射した後に該壁面で全反射する光が表面側にほぼ垂直に出射する角度としているために、配光分布も前方に向けた状態を保ちつつ導光板の前方に向けて出射させることができる光量を増加させることができる。
【００４４】
しかも、Ｖ字形溝の壁面の立ち上がり角度をφ、隣接する２つのＶ字形溝のうち、光源寄りのＶ字形溝の深さをｈ1、他方のＶ字形溝の深さをｈ2、両Ｖ字形溝の間隔をＬとする時、
Ｌ≧ｈ1tan（１８０°−２φ）＋ｈ2（１８０° −２φ）
としているために、導光板の裏面で反射した光がＶ字形溝の壁面で反射して表面側に出射することがＶ字形溝のピッチや深さにかかわらず常になされるものであり、従って光源に近い部分から遠い部分まで特定の方向にピークを持った指向性の高い且つ一様な配光分布を持ったものとすることができる。
【００４５】
また、広げたい視野角をγとする時、
Ｌ≧ｈ1tan（１８０°−２φ＋γ）＋ｈ2tan（１８０°−２φ＋γ）
とすることで、ピーク輝度は低下するものの、視野角を広げることができる。
【００４６】
光源が側端面と略平行に配される線状光源である場合、Ｖ字形溝は光源と平行な直線状に形成し、光源が点光源である場合、Ｖ字形溝は点光源を中心とする円弧状に形成することで、より高い指向性を持たせることができる。
【００４７】
また、Ｖ字形溝の長手方向において複数領域に分割して隣合う領域において光源から異なる距離のところにＶ字形溝を形成することにより、面内の輝度均一性を向上させることができる。
【００４８】
そして角度φは４５°以上６０°以内としておくことで、出射面に垂直な方向に指向性を持たせることができ、正面方向の輝度を高くすることができる。
【００４９】
また、光源側の側端の厚みよりも光源から遠い側の側端の厚みが薄くなるテーパ状に導光板を形成しておけば、Ｖ字形溝にあたって出射する光の量が増えるために出射効率が向上する。
【００５０】
さらにＶ字形溝はその断面形状を対称に且つ両壁面を共に鏡面としておくことで、導光板への再入射光を同様に配光制御して導光板表面から出射させることができるものであり、配光分布に影響を与えることなく出射効率の向上を図ることができる。
【００５１】
また、光源が点光源である場合は、導光板の光源から遠い側の側端を光源を中心とする円弧状にしておくと、再入射光の利用効率を高めることができる。
【００５２】
また、  Ｖ字形溝の頂部は両側の壁面を滑らかにつなぐ曲面で形成しておくと輝度ピーク位置を変えることなく視野角を広げることができる。
【００５３】
そして、導光板裏面で且つ隣接する２つのＶ字形溝の間の部分のうち、光源寄りの部分に光反射角制御面、たとえば鏡面に仕上げた微細な凹凸や、拡散反射させる粗面を設けることで、配光制御により得ることができる前方指向性を簡単に更に高めることができる。
【図面の簡単な説明】
【図１】本発明の実施の形態の一例を示すもので、(a)(b)は要部断面図である。
【図２】同上の他例の要部断面図である。
【図３】同上の説明図である。
【図４】他例の要部断面図である。
【図５】光源が線状である場合を示すもので、(a)は縦断面図、(b)は正面図、(c)は斜視図である。
【図６】光源が点光源である場合を示すもので、(a)は縦断面図、(b)は正面図、(c)は斜視図である。
【図７】  (a)(b)は夫々別の例の正面図である。
【図８】他の例の断面図である。
【図９】別の例の断面図である。
【図１０】  (a)(b)(c)は点光源である場合の側端面形状例を示す正面図である。
【図１１】  (a)(b)は夫々別の例の断面図である。
【図１２】更に他例の断面図である。
【図１３】従来例の断面図である。
【図１４】  (a)は同上の断面図、(b)(c)は部分拡大断面図である。
【図１５】参考例の部分拡大断面図である。
【符号の説明】
１  導光板
２  Ｖ字形溝
３  光源
【図１】
0004165111.tif 000006
【図２】
0004165111.tif 000007
【図３】
0004165111.tif 000008
【図４】
0004165111.tif 000009
【図５】
0004165111.tif 000010
【図６】
0004165111.tif 000011
【図７】
0004165111.tif 000012
【図８】
0004165111.tif 000013
【図９】
0004165111.tif 000014
【図１０】
0004165111.tif 000015
【図１１】
0004165111.tif 000016
【図１２】
0004165111.tif 000017
【図１３】
0004165111.tif 000018
【図１４】
0004165111.tif 000019
【図１５】
0004165111.tif 000020